(57)【要約】  各種部品を上ケースに組み付ける際に、防水ラバーの破損を防止することができる電子キー。この電子キーでは、互いに嵌合されて内部を密閉する上ケース（１０）と下ケース（２０）と、上ケース（１０）と下ケース（２０）に覆われ、外部と通信を行う電子回路を駆動する電池（３９）を下面側に搭載した内ケース（３０）と、この内ケース（３０）の上面側を覆う防水ラバー（４０）と、上ケース（１０）の内壁から突出する上ケース側突出部（１８）と、防水ラバー（４０）の外壁面から窪んで上ケース側突出部（１８）を収容する防水ラバー外壁側窪み部（４５）とを備える。この上ケース側突出部（１８）と防水ラバー外壁側窪み部（４５）との間には空隙が設けられている。
2012132457.tif 000002
【特許請求の範囲】
【請求項１】
互いに嵌合されて内部を密閉する上ケースと下ケースと、
前記上ケースと下ケースに覆われ、外部と通信を行う電子回路を駆動する電池を下面側に搭載した内ケースと、
この内ケースの上面側を覆う防水ラバーと、
前記上ケースの内壁面から突出する上ケース側突出部と、
前記防水ラバーの外壁面から窪んで前記上ケース側突出部を収容する防水ラバー外壁側窪み部と、
を備え、
前記上ケース側突出部と防水ラバー外壁側窪み部との間には空隙が設けられている
電子キー。
【請求項２】
前記内ケースの外壁面から突出する内ケース側突出部と、
前記防水ラバーの内壁面から窪んで前記内ケース側突出部を収容する防水ラバー内壁側窪み部と、
をさらに備え、
前記内ケース側突出部は、前記上ケース側突出部よりも上方に位置し、
前記上ケースの内壁面と前記防水ラバーの外壁面は、前記上ケース側突出部より上方の位置で当接し、
前記内ケースの外壁面と前記防水ラバーの内壁面は、前記内ケース側突出部より下方の位置で当接する
請求項１に記載の電子キー。
【請求項３】
互いに嵌合されて内部を密閉する上ケースと下ケースと、
前記上ケースと下ケースに覆われ、外部と通信を行う電子回路を駆動する電池を下面側に搭載した内ケースと、
この内ケースの上面側を覆う防水ラバーと、
前記内ケースの外壁面から突出する内ケース側突出部と、
前記防水ラバーの内壁面から窪んで前記内ケース側突出部を収容する防水ラバー内壁側窪み部と、
を備え、
前記第１の内ケース側突出部と防水ラバー内壁側窪み部との間には空隙が設けられている
電子キー。
【請求項４】
前記上ケースの内壁面から突出する第２の突出部と、
前記防水ラバーの外壁面から窪んで前記上ケース側突出部を収容する防水ラバー外壁側窪み部と、
をさらに備え、
前記内ケース側突出部は前記上ケース側突出部よりも上方に位置し、
前記内ケースの外壁面と前記防水ラバーの内壁面は、前記内ケース側突出部より下方の位置で当接し、
前記上ケースの内壁面と前記防水ラバーの外壁面は、前記上ケース側突出部より上方の位置で当接する
請求項３に記載の電子キー。
【発明の詳細な説明】
【技術分野】
【０００１】
本発明は、ドアを開閉する遠隔制御システムに用いられる機械式のエマージェンシーキー付きの電子キーに関する。
【背景技術】
【０００２】
近年、車両に搭載された制御ユニットと、ユーザが保持する電子キーとの間で無線通信を行って、非接触で車両のドアを開閉する遠隔制御システムが車両に搭載されつつある。ユーザによって車外に持ち出される電子キーの内部には、制御ユニットと無線通信を行うための電子回路が搭載された内ケースと、電子回路を駆動するための電池が搭載されている。この電子キー内部の電子回路の故障を防止するため、電子キーのケース内には防水・防塵のための防水ラバーが設けられている。この防水ラバーは、内ケースの上面側を覆い、上ケースに結合される。電池は内ケースの下面側に設けられている（例えば、特許文献１を参照）。
【先行技術文献】
【特許文献】
【０００３】
【特許文献１】特開２０１０−１８９９７１号公報
【発明の概要】
【発明が解決しようとする課題】
【０００４】
ユーザが電子キーの電池を交換するために下ケースが上ケースから取り外された際、防水ラバーや内ケース等の内部の部品が上ケースから外れてしまわないように、内ケースは上ケースに保持されていることが望ましい。防水ラバーを上ケースに保持する場合、上ケースの内側壁から防水ラバー側へ突出した突起が防水ラバーに嵌合する。内ケースを防水ラバーに保持する場合、内ケースの外側壁から防水ラバー側へ突出した突起が防水ラバーに嵌合する。これによって内ケースは上ケースに強固に保持されている。【０００５】
しかし、上ケースに加わる外力が大きくなると、内ケースや防水ラバー等の部品が外れてしまうことがあった。このとき、ユーザは、各種部品を上ケースに組み付けなおすが、上ケースに防水ラバーを組み付け後、防水ラバーに内ケースを組み付ける場合、防水ラバーが破損するという問題があった。この問題について以下で説明する。【０００６】
まず、内ケースを防水ラバーに組み付ける際、上ケースの突起の位置で、内ケースの突起によって防水ラバーが押圧される。このとき、押圧された防水ラバーは上ケースの突起側に移動しようとする。しかし、上ケースの突起の位置にある防水ラバーが上ケースの突起と内ケースの突起によって挟まれて圧縮限界を超えてしまい、防水ラバーが破損するという問題があった。【０００７】
また、上ケースに加わる外力が大きくなると、内ケースや防水ラバー等の部品が外れてしまうことがあった。このとき、ユーザは、各種部品を上ケースに組み付けなおすが、内ケースに防水ラバーを組み付けた後、上ケースに内ケースを組み付ける場合、防水ラバーが破損するという問題があった。この問題について以下で説明する。【０００８】
まず、内ケースを上ケースに組み付ける際、内ケースの突起の位置で、上ケースの突起によって防水ラバーが押圧される。このとき、押圧された防水ラバーは内ケースの突起側に移動しようとする。しかし、内ケースの突起の位置にある防水ラバーが上ケースの突起と内ケースの突起によって挟まれて圧縮限界を超えてしまい、防水ラバーが破損するという問題があった。【０００９】
本発明の目的は、上記のような問題点を解決するもので、各種部品を上ケースに組み付ける際に、防水ラバーの破損を防止することができる電子キーを提供することである。
【課題を解決するための手段】
【００１０】
本発明の電子キーは、互いに嵌合されて内部を密閉する上ケースと下ケースと、前記上ケースと下ケースに覆われ、外部と通信を行う電子回路を駆動する電池を下面側に搭載した内ケースと、この内ケースの上面側を覆う防水ラバーと、前記上ケースの内壁面から突出する上ケース側突出部と、前記防水ラバーの外壁面から窪んで前記上ケース側突出部を収容する防水ラバー外壁側窪み部と、を備え、前記上ケース側突出部と防水ラバー外壁側窪み部との間には空隙が設けられている構成を採る。【００１１】
また、本発明の電子キーは、互いに嵌合されて内部を密閉する上ケースと下ケースと、前記上ケースと下ケースに覆われ、外部と通信を行う電子回路を駆動する電池を下面側に搭載した内ケースと、この内ケースの上面側を覆う防水ラバーと、前記内ケースの外壁面から突出する内ケース側突出部と、前記防水ラバーの内壁面から窪んで前記内ケース側突出部を収容する防水ラバー内壁側窪み部と、を備え、前記第１の内ケース側突出部と防水ラバー内壁側窪み部との間には空隙が設けられている構成を採る。
【発明の効果】
【００１２】
本発明によれば、各種部品を上ケースに組み付ける際に、防水ラバーの破損を防止することができる。
【図面の簡単な説明】
【００１３】
【図１】本実施形態における電子キーの斜視図
【図２】同図１の分解斜視図
【図３】同図２の分解斜視図を上下反対に見たときの分解斜視図
【図４】同図１のＡ−Ａ断面をＢ方向に見たときの断面図
【図５】同図４の領域Ｃの拡大図
【発明を実施するための形態】
【００１４】
以下、本発明の実施形態に係る電子キーについて図面を用いて説明する。
【００１５】
図１は本実施形態における電子キーの斜視図である。図２は図１の分解斜視図である。図３は図２の分解斜視図を上下反対に見たときの分解斜視図である。図４は図１のＡ−Ａ断面をＢ方向に見たときの断面である。図５は図４の領域Ｃの拡大図である。
【００１６】
図１〜図３に示すように、電子キーは、上ケース１０と、下ケース２０と、この上ケース１０と下ケース２０によって覆われる内ケース３０と、この内ケース３０の上面側を覆う防水ラバー４０と、下ケース２０に収容される非常用のエマージェンシーキー１００を有する。
【００１７】
上ケース１０、下ケース２０、内ケース３０は樹脂で構成される。上ケース１０は、下ケース２０と結合し、内ケース３０と防水ラバー４０を内部に収容する。上ケース１０には、３つのボタン１１ａ〜１１ｃからなるボタン１１を設けている。
【００１８】
下ケース２０の側壁はロック爪２１を設けている。このロック爪２１は、上ケース１０の内壁に設けられた嵌合部１４に嵌合する。図４に示すように、下ケース２０は、エマージェンシーキー１００の棒状部１０１を挿入する挿入部２２を設けている。また、下ケース２０は、挿入部２２の上面よりも下方に窪んだ凹部２３を設けている。下ケース２０の底面には、エマージェンシーキー１００の棒状部１０１をロックするノブ２４が設けられる。このノブ２４が挿入部２２に近づく方向に動かされるとエマージェンシーキー１００は下ケース２０に保持される。一方、ノブ２４が挿入部２２と離れる方向に動かされるとエマージェンシーキー１００は下ケース２０から挿脱可能になる。
【００１９】
内ケース３０の内部には、回路基板３６が配設されている。この回路基板３６の上面にはスイッチ３１ａ〜３１ｃが設けられている。また、内ケース３０の外壁面上部からは、内ケース側突出部３２が突出する。内ケース側突出部３２は、内ケース３０の外壁の長辺側の両端部からそれぞれ突出する。
【００２０】
内ケース３０の上部には蓋部３３が載置される。蓋部３３は回路基板３６の上面を覆う。蓋部３３は３つの開口を有する。この開口からスイッチ３１ａ〜３１ｃが露出している。蓋部３３は、スイッチ３１ｂの左右にそれぞれ凸部３３ａ、３３ｂを設けている。
【００２１】
内ケース３０の下面には外部と通信を行う電子回路３７とこの電子回路３７を駆動する電池３９が設けられている。内ケース３０の下面は、ホルダ３８を有する。電池３９は、このホルダ３８によって内ケース３０に保持される。ホルダ３８は、下ケース２０の凹部２３の底面に形成された位置決め用の窪み部２５に載置される。
【００２２】
防水ラバー４０は、弾性材料で構成され、内ケース３０の上面を封止する。弾性材料は、例えばゴムで構成される。防水ラバー４０は上面側に突出した押圧部４１ａ〜４１ｃを有する。ボタン１１ａ〜１１ｃが押圧されると、防水ラバー４０に設けられた押圧部４１ａ〜４１ｃ、内ケース３０に配置されたスイッチ３１ａ〜３１ｃがそれぞれ押圧される。また、防水ラバー４０には、さらに押圧部４１ｂの左右にそれぞれ保護部４１ｄ、４１ｅを有する。保護部４１ｄ、４１ｅは、蓋部３３の凸部３３ａ、３３ｂ上にそれぞれ配置される。防水ラバー４０の外壁面上部からは、防水ラバー側突出部４２が突出する。防水ラバー側突出部４２は、防水ラバー４０の外壁面の長辺側の両端部からそれぞれ突出する。この防水ラバー側突出部４２は、それぞれ上ケース１０の内底面に形成された上ケース側窪み部１３に嵌合する。防水ラバー４０の内壁面のうち、防水ラバー側突出部４２の内壁面には、防水ラバー４０の内壁面から窪んだ防水ラバー内壁側窪み部４３が形成されている。この防水ラバー内壁側窪み部４３には、内ケース側突出部３２が収容される。
【００２３】
次に、電子キーの各構成が組み付けられた状態について説明する。図４、図５に示すように、上ケース１０の嵌合部１４と下ケース２０のロック爪２１が嵌合している。防水ラバー４０の先端は、ロック爪２１の上端に押圧される。これによって、下ケース２０と防水ラバー４０との空間は密閉される。
【００２４】
ボタン１１ｃは底面からフランジ状に張り出したフランジ部１５を有する。このフランジ部１５の上面と上ケース１０の開口端部１６の下面とが当接する。上ケース１０は開口端部１６の下面から突出して防水ラバー４０を固定する固定部１７を有する。この固定部１７と蓋部３３とは防水ラバー４０を挟みこんで防水ラバー４０に当接する。蓋部３３の端部３４は、蓋部３３から上下方向に延びている。端部３４の側壁は内ケース３０の内壁面と当接する。
【００２５】
防水ラバー４０の防水ラバー側突出部４２は、防水ラバー４０の平坦な部分に対して上方に膨らんだ形状に形成されている。この防水ラバー側突出部４２は、上ケース１０の上ケース側窪み部１３に嵌め込まれる。防水ラバー側突出部４２と上ケース側窪み部１３との間には一部空隙が設けられている。上ケース側窪み部１３の下端は防水ラバー側突出部４２と当接している。
【００２６】
防水ラバー側突出部４２の膨らみによって、防水ラバー側突出部４２の内壁面には、防水ラバー４０の平坦な部分に対して窪んだ防水ラバー内壁側窪み部４３が形成されている。この防水ラバー内壁側窪み部４３には内ケース側突出部３２が嵌め込まれる。防水ラバー内壁側窪み部４３には蓋部３３の端部３４の上端も嵌め込まれる。
【００２７】
内ケース側突出部３２は爪部３５をさらに有する。爪部３５は、内ケース側突出部３２から外側にフランジ状に延出している。また、防水ラバー４０の防水ラバー内壁側窪み部４３は、さらに外側に向かって窪んだ係止用窪み部４４を有する。この係止用窪み部４４に爪部３５が係止される。爪部３５の下面と係止用窪み部４４の上面とは当接している。これによって、内ケース３０は防水ラバー４０に保持される。また、内ケース側突出部３２の下方に位置する内ケース３０の外壁面と防水ラバー４０の防水ラバー側突出部４２の内壁面も当接している。
【００２８】
上ケース１０の内壁面には上ケース側突出部１８が設けられている。上ケース側窪み部１３の境界はこの上ケース側突出部１８によって区切られる。防水ラバー４０の防水ラバー側突出部４２の先端には、防水ラバー４０の外壁面から窪んだ防水ラバー外壁側窪み部４５が設けられている。上ケース側突出部１８はこの防水ラバー外壁側窪み部４５に収容される。上ケース側突出部１８の上面と防水ラバー外壁側窪み部４５の下面とは当接可能に形成されている。これによって、防水ラバー４０は上ケース１０に保持される。
【００２９】
上ケース側突出部１８は内ケース側突出部３２よりも下方に形成されている。換言すると、内ケース側突出部３２は上ケース側突出部１８よりも上方に形成されている。このとき、防水ラバー４０を介して上ケース１０に内ケース３０を保持することができる。すなわち、防水ラバー内壁側窪み部４３における係止用窪み部４４に爪部３５が係止されて内ケース３０は防水ラバー４０に保持される。内ケース側突出部３２が上ケース側突出部１８より上方に位置すると、上ケース側突出部１８に防水ラバー外壁側窪み部４５が係止されることによって、この内ケース３０ごと防水ラバー４０が上ケース１０に保持される。
【００３０】
防水ラバー外壁側窪み部４５と上ケース側突出部１８との間には空隙が設けられている。これによって、防水ラバー４０を組み付けた上ケース１０に内ケース３０を組み付ける際に防水ラバー４０の破損を防止することができる。
【００３１】
以下、この理由について説明する。防水ラバー４０を組み付けた上ケース１０に内ケース３０を組み付ける際、最も防水ラバー４０が圧縮されるのは、爪部３５を有する内ケース側突出部３２と上ケース側突出部１８とが対向するときである。このとき、内ケース側突出部３２と上ケース側突出部１８との横方向の距離は、爪部３５の先端と上ケース側突出部１８の先端との間の距離で示される。上ケース側突出部１８と防水ラバー外壁側窪み部４５との間に空隙が設けられることによって、内ケース側突出部３２の爪部３５によって押圧された防水ラバー４０は、上ケース側突出部１８と防水ラバー外壁側窪み部４５との間の空隙に逃げることができる。したがって、防水ラバー４０の防水ラバー外壁側窪み部４５の部分が圧縮限界を超えて破損することが防止される。
【００３２】
また、防水ラバー内壁側窪み部４３と内ケース側突出部３２との間には少なくとも一部空隙が設けられている。換言すると、爪部３５と係止用窪み部４４との間に空隙が設けられている。これによって、防水ラバー４０を組み付けた内ケース３０を上ケース１０に組み付ける際に防水ラバー４０の破損を防止することができる。
【００３３】
以下、この理由について説明する。防水ラバー４０を組み付けた内ケース３０を上ケース１０に組み付ける際、最も防水ラバー４０が圧縮されるのは、爪部３５を有する内ケース側突出部３２と上ケース側突出部１８とが対向するときである。このとき、内ケース側突出部３２と上ケース側突出部１８との横方向の距離は、爪部３５の先端と上ケース側突出部１８の先端との間の距離で示される。爪部３５と係止用窪み部４４との間に空隙が設けられることによって、上ケース側突出部１８によって押圧された防水ラバー４０は、爪部３５と係止用窪み部４４との間の空隙に逃げることができる。したがって、防水ラバー４０の係止用窪み部４４の部分が圧縮限界を超えて破損することが防止される。
【００３４】
以上より、本実施形態の電子キーによれば、上ケース側突出部１８と防水ラバー外壁側窪み部４５との間に空隙が設けられることにより、防水ラバー外壁側窪み部４５は、内ケース側突出部３２の爪部３５に押圧されても上ケース側突出部１８と防水ラバー外壁側窪み部４５との間に空隙に逃げることができる。これによって、防水ラバー４０のうち防水ラバー外壁側窪み部４５の部分の圧縮率の上昇を圧縮限界以下に抑えることができる。したがって、防水ラバー４０を組み付けた上ケース１０に内ケース３０を組み付ける際でも防水ラバー４０の破損を防止することができる。
【００３５】
また、本実施の形態の電子キーによれば、内ケース側突出部３２と防水ラバー内壁側窪み部４３との間に空隙が設けられることにより、防水ラバー内壁側窪み部４３は、上ケース側突出部１８に押圧されても内ケース側突出部３２と防水ラバー内壁側窪み部４３との間に空隙に逃げることができる。これによって、防水ラバー４０のうち防水ラバー内壁側窪み部４３の部分の圧縮率の上昇を圧縮限界以下に抑えることができる。したがって、防水ラバー４０を組み付けた内ケース３０を上ケース１０に組み付ける際でも防水ラバー４０の破損を防止することができる。
【００３６】
さらに、上ケース１０の内壁面と防水ラバー４０の外壁面は、上ケース側突出部１８より上方の位置で当接し、内ケース３０の外壁面と防水ラバー４０の内壁面は、内ケース側突出部３２より下方の位置で当接している。これによって、防水ラバー４０の破損の防止と、上ケース１０と内ケース３０と防水ラバー４０との間の保持力の維持との両立を図ることができる。
【００３７】
２０１１年３月３０日出願の特願２０１１−７５０３１の日本出願、及び２０１１年３月３０日出願の特願２０１１−７５０３２の日本出願に含まれる明細書、図面及び要約書の開示内容は、すべて本願に援用される。
【産業上の利用可能性】
【００３８】
本発明に係る電子キーは、外部との通信を行う遠隔制御システムに有用である。特に電池の交換を伴うキーレスエントリに有用である。
【符号の説明】
【００３９】
１０  上ケース
１８  上ケース側突出部
２０  下ケース
３０  内ケース
３２  内ケース側突出部
３９  電池
４３  防水ラバー内壁側窪み部
４５  防水ラバー外壁側窪み部
【図１】
2012132457.tif 000003
【図２】
2012132457.tif 000004
【図３】
2012132457.tif 000005
【図４】
2012132457.tif 000006
【図５】
2012132457.tif 000007
【国際調査報告】
2012132457.tif 000008
2012132457.tif 000009
2012132457.tif 000010
2012132457.tif 000011